(57)【要約】      （修正有）【課題】部品点数を削減し、接続作業の簡素化および低コスト化を図ることができる基板接続構造およびそれを備えた電子機器を提供する。【解決手段】一端部にスイッチ釦１５と対向する入力接点部２０が設けられ、この入力接点部２０と同一面上における他端部に回路基板１４と対向する接続端子部２１が設けられたフレキシブルな配線基板１６と、このフレキシブルな配線基板１６が折り曲げられて、同一面上に位置する入力接点部２０と接続端子部２１との各平面が互いに直交した状態で、フレキシブルな配線基板１６が取り付けられる保持部材１７と、を備えている。従って、フレキシブルな配線基板１６を折り曲げて、同一面上に設けられた入力接点部２０と接続端子部２１との各平面を互いに直交させることができ、この状態でフレキシブルな配線基板１６を保持部材１７に組み付けて、スイッチ釦１５と回路基板１４とを簡単に接続することができる。【選択図】図２
2019024010.tif 000002
【特許請求の範囲】
【請求項１】
一端部にスイッチ釦と対向する接点部が設けられ、前記接点部と同一面上における他端部に回路基板と対向する接続部が設けられた配線部材と、
前記配線部材が取り付けられている保持部材と、
を備え、
前記配線部材は、前記接点部の縁部および前記接続部の縁部に沿って折り曲げられて、前記接点部と前記接続部との各平面が互いに交差した状態となるように、且つ、前記接点部の背面に前記接続部が位置する状態となるように、前記保持部材に取り付けられており、
前記保持部材は、前記接点部が前記スイッチ釦に対向して配置される接点配置部と、前記接点配置部の一部に設けられ、前記接続部が差し込まれる保持溝と、を有していることを特徴とする基板接続構造。
【請求項２】
請求項１に記載の基板接続構造において、前記配線部材は、前記接点部の縁部に沿って、前記接点部と前記接続部が設けられる第一面の背面側に向けて略１８０度折り曲げられ、且つ、前記接続部の縁部に沿って前記第一面側に向けて略９０度折り曲げられて、前記保持部材に取り付けられていることを特徴とする基板接続構造。
【請求項３】
請求項１または２に記載の基板接続構造において、前記接点部は、前記スイッチ釦と対向する面の裏面に第１補強板を有しており、
前記接続部は、前記回路基板と対向する面の裏面に第２補強板を有しており、
前記第１補強板は、前記接点部と重ねて前記接点配置部に配置され、
前記第２補強板は、前記接続部と重ねて前記保持溝に差し込まれることを特徴とする基板接続構造。
【請求項４】
請求項１から請求項３のいずれかに記載の基板接続構造において、前記配線部材は、前記接点部と前記接続部の間に当該接点部と当該接続部を電気的に接続する接続配線部を有しており、
前記保持部材は、前記接続配線部が配置される配線溝部を有していることを特徴とする
基板接続構造。
【請求項５】
請求項４に記載の基板接続構造において、前記一端部から前記他端部に向かう縦方向における前記接続配線部の長さが、前記縦方向における前記接点部の長さよりも短く形成されていることを特徴とする基板接続構造。
【請求項６】
請求項４に記載の基板接続構造において、前記一端部から前記他端部に向かう縦方向における前記接続配線部の長さが、前記接点配置部の端部から前記保持溝までの長さと略等しく形成されていることを特徴とする基板接続構造。
【請求項７】
請求項１〜請求項６のいずれかに記載の基板接続構造において、前記保持溝は、前記接続部が差し込まれた際に前記接続部の電極部を当該保持溝から露呈させる切欠き部を備えていることを特徴とする基板接続構造。
【請求項８】
請求項７に記載の基板接続構造において、前記接続部と前記回路基板とは、前記切欠き部を通したばね部材が、前記電極部に接することによって電気的に接続されていることを特徴とする基板接続構造。
【請求項９】
請求項１〜請求項８のいずれかに記載の基板接続構造において、前記保持溝は、前記保持部材の略中間部に設けられていることを特徴とする基板接続構造。
【請求項１０】
請求項１〜請求項９のいずれかに記載されている基板接続構造を備えていることを特徴とする電子機器。
【請求項１１】
請求項１０に記載の電子機器において、前記配線部材が取り付けられた前記保持部材が組み込まれる機器ケースを備え、前記機器ケースの側面部に前記スイッチ釦が前記機器ケースの外部に出没可能に設けられ、前記機器ケース内には、前記回路基板が前記機器ケースの前記側面部に対して直交して配置され、前記保持部材は、前記配線部材の前記接点部を前記スイッチ釦に対向させ、かつ前記接続部を前記回路基板に対向させた状態で、前記機器ケース内に組み込まれていることを特徴とする電子機器。
【請求項１２】
請求項１１に記載の電子機器において、前記配線部材が取り付けられた前記保持部材を前記機器ケース内に配置した状態で、前記機器ケース内に前記回路基板を取り付ける際に、前記回路基板と前記配線部材の前記接続部とがばね部材によって電気的に接続されることを特徴とする電子機器。
【発明の詳細な説明】
【技術分野】
【０００１】
この発明は、携帯端末機や携帯電話機などの各種の電子機器に用いられる基板接続構造およびそれを備えた電子機器に関する。
【背景技術】
【０００２】
例えば、基板接続構造においては、特許文献１に記載されているように、機器内の回路基板とマザーボードとを電気的に接続する場合、機器内の回路基板にアダプタコネクタを接続線で接続し、このアダプタコネクタをマザーボードに設けられたコネクタに差し込むことにより、機器内の回路基板とマザーボードとを電気的に接続するように構成されたものが知られている。
【先行技術文献】
【特許文献】
【０００３】
【特許文献１】特開平０８−３００９６６号公報
【発明の概要】
【発明が解決しようとする課題】
【０００４】
しかしながら、このような基板接続構造では、機器をマザーボートに取り付ける際に、予め、機器内の回路基板に接続されたアダプタコネクタと、マザーボードに設けられたコネクタとを接続した後でなければ、機器をマザーボートに取り付けることができないため、接続作業が面倒であるばかりか、機器内の回路基板に接続線によってアダプタコネクタを接続し、マザーボードにコネクタを設ける必要があるため、部品点数が多くなり、低コスト化を図ることができないという問題がある。
【０００５】
この発明が解決しようとする課題は、部品点数を削減し、接続作業の簡略化および低コスト化を図ることである。
【課題を解決するための手段】
【０００６】
この発明は、一端部にスイッチ釦と対向する接点部が設けられ、前記接点部と同一面上における他端部に回路基板と対向する接続部が設けられた配線部材と、前記配線部材が取り付けられている保持部材と、を備え、前記配線部材は、前記接点部の縁部および前記接続部の縁部に沿って折り曲げられて、前記接点部と前記接続部との各平面が互いに交差した状態となるように、且つ、前記接点部の背面に前記接続部が位置する状態となるように、前記保持部材に取り付けられており、前記保持部材は、前記接点部が前記スイッチ釦に対向して配置される接点配置部と、前記接点配置部の一部に設けられ、前記接続部が差し込まれる保持溝と、を有していることを特徴とする。
【発明の効果】
【０００７】
この発明によれば、部品点数を削減し、接続作業の簡略化および低コスト化を図ることができる。
【図面の簡単な説明】
【０００８】
【図１】この発明を携帯端末機に適用した一実施形態を示した正面図である。
【図２】図１に示された携帯端末機のＡ−Ａ矢視における要部を示した拡大断面図である。
【図３】図１に示された携帯端末機を上下反転させて、機器ケースを分解した状態を示した斜視図である。
【図４】図３に示された機器ケースの下部ケースを更に上下反転させ、この下部ケースにスイッチ釦、フレキシブルな配線基板、および保持部材を取り付ける状態を示した要部の分解斜視図である。
【図５】図４に示されたフレキシブルな配線基板を示し、（ａ）はその拡大斜視図、（ｂ）はそのＢ−Ｂ矢視における拡大断面図である。
【図６】図４に示された保持部材を示し、（ａ）はその正面側を示した拡大斜視図、（ｂ）はその背面側を示した拡大斜視図である。
【図７】図５に示されたフレキシブルな配線基板を折り曲げる状態を示した各拡大斜視図である。
【発明を実施するための形態】
【０００９】
以下、図１〜図７を参照して、この発明を携帯端末機に適用した一実施形態について説明する。
この携帯端末機は、図１〜図３に示すように、前後方向（図１では上下方向）に長い長方形状の機器ケース１を備えている。この機器ケース１は、上部ケース２と下部ケース３とを有し、これらの内部にモジュール４が組み込まれるように構成されている。
【００１０】
上部ケース２は、図１〜図３に示すように、上面が長方形のほぼ平板状に形成され、その外周の側面部が下部ケース３に取り付けられるように構成されている。この場合、上部ケース２の上面におけるほぼ上辺側半分には、表示窓部５が設けられており、そのほぼ下辺側半分には、キー入力部６が設けられている。
【００１１】
表示窓部５は、図１および図２に示すように、上部ケース２の上面に形成されたほぼ長方形状の開口部５ａと、この開口部５ａの縁部に沿って設けられて開口部５ａを塞ぐ保護ガラス５ｂとを備えている。キー入力部６は、テンキー、カーソルキー、ファンクションキーなどの携帯端末機に必要な各種のキーを備えている。
【００１２】
下部ケース３は、図２〜図４に示すように、その外周の側面部が底部に向けて円弧状に湾曲して形成され、この側面部の上部に上部ケース２の側面部の下部が取り付けられるように構成されている。この下部ケース３の上辺部側には、後述する光学読取部７の読取窓部７ａが設けられている。
【００１３】
また、この下部ケース３の前後方向（図４では斜め左右方向）におけるほぼ中間部には、図２〜図４に示すように、外部接続部８を開閉可能に塞ぐ接続蓋８ａが取り付けられている。この下部ケース３の下辺部側には、充電池１０ａを収納する電池収納部１０を開閉可能に塞ぐための電池蓋９が着脱可能に取り付けられている。さらに、この下部ケース３の前後方向におけるほぼ中間部に位置する両側部には、後述するスイッチ部１１がそれぞれ設けられている。
【００１４】
モジュール４は、図２および図３に示すように、インナーケース１２を備え、このインナーケース１２に表示パネル１３および回路基板１４などの携帯端末機に必要な各種の部品が搭載されるように構成されている。表示パネル１３は、液晶表示パネルやＥＬ（エレクトロ・ルミネセンス）表示パネルのなどの平面型の表示パネルであり、携帯端末機に必要な各種の情報を電気光学的に表示するように構成されている。
【００１５】
すなわち、この表示パネル１３は、図２〜図４に示すように、上部ケース２の表示窓部５に対応した状態で、インナーケース１２内に取付部材１２ａによって取り付けられ、表示された情報が表示窓部５を通して上部ケース２の上方から見えるように構成されている。回路基板１４は、光学読取部７などの携帯端末機に必要な各種の電子部品が設けられ、インナーケース１２の下面（図３では上面）のほぼ全域に亘って配置されるように構成されている。
【００１６】
この場合、光学読取部７は、図３および図４に示すように、回路基板１４の下面（図３では上面）における上辺部側に配置され、レーザ光線を下部ケース３の読取窓部７ａから機器ケース１の外部に出射させ、この出射されたレーザ光線の反射光を受光することにより、物品のバーコードなどを読み取るように構成されている。
【００１７】
ところで、下部ケース３のほぼ中間部に位置する両側部に設けられた各スイッチ部１１それぞれは、トリガースイッチであり、図２および図４に示すように、スイッチ釦１５とフレキシブルな配線基板１６と保持部材１７とを備えている。スイッチ釦１５は、釦部１８と弾性部１９とを有している。
【００１８】
釦部１８は、図２に示すように、キャップ状の頭部１８ａと、この頭部１８ａ内の中心部に設けられた操作軸部１８ｂとを有し、頭部１８ａが下部ケース３の側面部に設けられた釦挿入孔３ａに出没可能に配置されるように構成されている。この場合、頭部１８ａの外周における内端部には、下部ケース３の釦挿入孔３ａの内周縁に当接して、頭部１８ａが外部に抜け出すのを阻止するためのストッパ片１８ｃが設けられている。
【００１９】
弾性部１９は、図２に示すように、ウレタンゴムやシリコーンゴムなどの弾性シートを膨出形成してなり、フレキシブルな配線基板１６に対応した状態で、釦部１８を弾力的に押し出すように構成されている。すなわち、この弾性部１９は、弾性シートの中央部に膨出部１９ａが釦部１８に向けて突出して形成されている。また、この膨出部１９ａの周縁部には、フレキシブルな配線基板１６と下部ケース３の側面部との間に配置される取付部１９ｂが設けられている。
【００２０】
この場合、膨出部１９ａの内面には、図２に示すように、可動接点１９ｃが設けられている。また、このスイッチ釦１５は、釦部１８の操作軸部１８ｂが弾性部１９の膨出部１９ａの外面に接着などで固定された構成になっているが、これに限らず、釦部１８と弾性部１９とを２色成型によって一体に形成した構成であっても良い。
【００２１】
これにより、スイッチ釦１５は、図２に示すように、釦部１８が弾性部１９の膨出部１９ａによって下部ケース３の釦挿入孔３ａから外部に向けて弾力的に押し出されることにより、膨出部１９ａ内の可動接点１９ｃがフレキシブルな配線基板１６から離れるように構成されている。また、このスイッチ釦１５は、釦部１８が下部ケース３の外部から内部に向けて押された際に、弾性部１９の膨出部１９ａが弾性変形して可動接点１９ｃがフレキシブルな配線基板１６に弾力的に押し付けられるように構成されている。
【００２２】
フレキシブルな配線基板１６は、図２、図４および図５に示すように、屈曲自在なフィルム１６ａを備え、このフィルム１６ａの一端部にスイッチ釦１５と対向する入力接点部２０が設けられ、この入力接点部２０と同一面上における他端部に回路基板１４と対向する接続端子部２１が設けられ、入力接点部２０と接続端子部２１との間にこれらを電気的に接続する接続配線部２２が設けられた構成になっている。
【００２３】
すなわち、フレキシブルな配線基板１６は、図５および図７に示すように、フィルム１６ａの一面に銅やアルミなどの金属箔を形成し、この金属箔をパターニングすることにより、フィルム１６ａの同一面上における一端部に入力接点部２０がパターン形成され、他端部に接続端子部２１がパターン形成され、これらの間に接続配線部２２がパターン形成された構成になっている。
【００２４】
この場合、入力接点部２０は、図５および図７に示すように、櫛歯状の一対の電極部２０ａに形成されている。接続端子部２１は、四角形状の一対の電極部２１ａに形成されている。接続配線部２２は、線状の一対の電極ライン２２ａに形成されている。また、このフレキシブルな配線基板１６は、入力接点部２０、接続端子部２１、および接続配線部２２が設けられている同一面と反対側の面に、入力接点部２０に対応する第１補強板２３と、接続端子部２１に対応する第２補強板２４と、が設けられた構成になっている。
【００２５】
これにより、フレキシブルな配線基板１６は、図５および図７に示すように、第１補強板２３と第２補強板２４との間に位置する接続配線部２２が自由に屈曲するように構成されている。このフレキシブルな配線基板１６は、図２および図７に示すように、接続配線部２２が折り曲げられて保持部材１７に取り付けられるように構成されている。
【００２６】
すなわち、このフレキシブルな配線基板１６は、図２、図５および図７に示すように、接続配線部２２が第２補強板２４の縁部で第１補強板２３と反対側（図７では左側）に向けてほぼ直角に折り曲げられ、この状態で接続配線部２２が第１補強板２３の縁部で第１補強板２３の背面側（図７では右側）に向けて折り曲げられて、第１補強板２３の背面に重なる状態で折り返されるように構成されている。
【００２７】
これにより、このフレキシブルな配線基板１６は、図２、図４、図５および図７に示すように、第１補強板２３の背面に対して第２補強板２４が垂直な状態で配置されることにより、入力接点部２０と接続端子部２１とが互いに直交した状態で、接続配線部２２が折り曲げられるように構成されている。
【００２８】
一方、保持部材１７は、図２、図４および図６に示すように、フレキシブルな配線基板１６の接続配線部２２が折り曲げられて、同一面上に位置する入力接点部２０と接続端子部２１との各平面が互いに直交した状態で取り付けられ、この状態で機器ケース１に組み込まれて、入力接点部２０と接続端子部２１とをスイッチ釦１５と回路基板１４とに対応させるように構成されている。
【００２９】
すなわち、この保持部材１７は、図２、図４および図６に示すように、下部ケース３の釦挿入孔３ａに対応する側面部に設けられた装着部３ｂに配置される保持本体部２５と、この保持本体部２５に設けられて、折り曲げられた状態のフレキシブルな配線基板１６の入力接点部２０が第１補強板２３と共に配置される接点配置部２６と、保持本体部２５に設けられて、接続端子部２１が第２補強板２４と共に差し込まれる保持溝２７と、を備えている。
【００３０】
この場合、接点配置部２６は、図２、図４および図６に示すように、下部ケース３の装着部３ｂに対向する保持本体部２５の一面に設けられた収納凹部である。この接点配置部２６は、フレキシブルな配線基板１６の入力接点部２０と第１補強板２３とが重なった状態で配置されると共に、この入力接点部２０にスイッチ釦１５の弾性部１９が更に重なった状態で配置されるように構成されている。
【００３１】
この接点配置部２６には、図２、図４および図６に示すように、折り曲げられたフレキシブルな配線基板１６の接続配線部２２が配置される配線溝部２６ａが上辺部から中間部の保持溝２７に亘って設けられている。また、保持溝２７は、保持本体部２５の中間部に水平に設けられた平板状のスリット孔であり、接続端子部２１と第２補強板２４とが重なった状態で挿入されるように構成されている。
【００３２】
この場合、保持溝２７には、図２、図４および図６に示すように、接続端子部２１と第２補強板２４とが挿入された際に、挿入された接続端子部２１の先端部側を上側に露出させるための切欠き部２７ａが設けられている。また、この保持部材１７には、回路基板１４の縁部を切欠き部２７ａの上方に位置させた状態で支持する基板支持部２７ｂが設けられている。
【００３３】
これにより、保持部材１７は、図２、図４および図６に示すように、フレキシブルな配線基板１６の入力接点部２０と第１補強板２３とが重なった状態で接点配置部２６に配置され、フレキシブルな配線基板１６の接続端子部２１と第２補強板２４とが重なった状態で保持溝２７に挿入され、この挿入された接続端子部２１が保持溝２７の切欠き部２７ａから上側に露出し、この状態でフレキシブルな配線基板１６が取り付けられるように構成されている。
【００３４】
また、この保持部材１７は、図２、図４および図６に示すように、フレキシブルな配線基板１６が取り付けられた保持本体部２５が下部ケース３内の装着部３ｂに配置される際に、スイッチ釦１５を下部ケース３の装着部３ｂに押し付けて保持するように構成されている。すなわち、この保持部材１７は、釦部１８が下部ケース３の釦挿入孔３ａに挿入されて弾性部１９が接点配置部２６に配置され、この状態で保持本体部２５が下部ケース３内の装着部３ｂに配置されると、弾性部１９の取付部１９ｂを下部ケース３の装着部３ｂに押し付けて保持するように構成されている。
【００３５】
さらに、この保持部材１７は、図２、図４および図５に示すように、フレキシブルな配線基板１６が取り付けられた保持本体部２５が下部ケース３内の装着部３ｂに配置された際に、保持溝２７に挿入された接続端子部２１が切欠き部２７ａから上側に露出して回路基板１４と電気的に接続可能な状態で回路基板１４に対向するように構成されている。この場合、回路基板１４には、フレキシブルな配線基板１６の接続端子部２１である一対の電極部２１ａに弾力的に接触する一対のばね部材２８が設けられている。
【００３６】
これら一対のばね部材２８それぞれは、図２および図３に示すように、板ばねまたはコイルばねである。これら一対のばね部材２８は、フレキシブルな配線基板１６が取り付けられた保持本体部２５が下部ケース３内の装着部３ｂに配置された状態で、回路基板１４がインナーケース１２と共に下部ケース３内に配置される際に、保持部材１７の保持溝２７に設けられた切欠き部２７ａ内に配置されて、接続端子部２１と回路基板１４とを電気的に接続するように構成されている。
【００３７】
また、この保持部材１７は、図２および図６に示すように、保持本体部２５が下部ケース３内の装着部３ｂに配置された状態で、回路基板１４がインナーケース１２と共に下部ケース３内に配置された際に、一対のばね部材２８の近傍に位置する回路基板１４の縁部を基板支持部２７ｂによって支持するように構成されている。これにより、保持部材１７は、接続端子部２１と回路基板１４とを一定の間隔に保ち、接続端子部２１に対するばね部材２８の接触圧を一定に保つように構成されている。
【００３８】
次に、このような携帯端末機を組み立てる場合について説明する。
まず、機器ケース１内に組み込まれるモジュール４を組み立てる。この場合には、インナーケース１２に表示パネル１３を取付部材１２ａによって取り付けると共に、回路基板１４を取り付ける。このときには、予め、回路基板１４に光学読取部７および各一対のばね部材２８などの各種の部品を取り付け、この回路基板１４をインナーケース１２に取り付ける。これにより、モジュール４が組み立てられる。
【００３９】
このモジュール４を下部ケース３内に組み付ける前には、まず、保持部材１７にフレキシブルな配線基板１６を取り付け、この保持部材１７をフレキシブルな配線基板１６と共に下部ケース３内の装着部３ｂに組み付ける。この場合には、図７に示すように、まず、フレキシブルな配線基板１６の接続配線部２２を第２補強板２４の縁部で第１補強板２３と反対側、つまり入力接点部２０側に向けてほぼ直角に折り曲げる。
【００４０】
この状態で、接続配線部２２を第１補強板２３の縁部で第１補強板２３の背面側に向けて折り曲げて、第１補強板２３の背面に重なるように折り返す。これにより、フレキシブルな配線基板１６は、図２および図４に示すように、第１補強板２３の背面に対して第２補強板２４が垂直な状態で配置されることにより、入力接点部２０と接続端子部２１との各平面が互いに直交した状態で折り曲げられる。
【００４１】
この折り曲げられたフレキシブルな配線基板１６を保持部材１７に取り付ける際には、まず、接続端子部２１を第２補強板２４と共に、保持部材１７の保持溝２７に接点配置部２６側から差し込み、この差し込まれた接続端子部２１を保持溝２７の切欠き部２７ａに対応させて上側に露出させる。この状態で、フレキシブルな配線基板１６の入力接点部２０を第１補強板２３と共に保持部材１７の接点配置部２６に配置する。
【００４２】
このときには、第１補強板２３の背面に折り返されて配置されている接続配線部２２を保持部材１７の接点配置部２６に設けられた配線溝部２６ａ内に配置する。このため、入力接点部２０に設けられた第１補強板２３の背面に接続配線部２２が折り返されて重なっていても、保持部材１７の接点配置部２６に入力接点部２０が第１補強板２３と共にガタツクことなく、フラットな状態で良好に配置される。これにより、フレキシブルな配線基板１６が保持部材１７に取り付けられる。
【００４３】
そして、このフレキシブルな配線基板１６が取り付けられた保持部材１７を下部ケース３内の装着部３ｂに配置する。このときには、保持部材１７の接点配置部２６にスイッチ釦１５の弾性部１９をフレキシブルな配線基板１６の入力接点部２０と重ね合わせて配置する。これにより、スイッチ釦１５の弾性部１９がフレキシブルな配線基板１６の入力接点部２０に対応した状態で、スイッチ釦１５が保持部材１７の接点配置部２６に保持される。
【００４４】
この状態で、スイッチ釦１５の釦部１８を下部ケース３の側面部に設けられた釦挿入孔３ａにその内部側から挿入させ、保持部材１７を下部ケース３内の装着部３ｂに配置する。この状態で、モジュール４を下部ケース３内に配置する。すると、保持部材１７がインナーケース１２の側面部と下部ケース３の装着部３ｂとの間に挟まれると共に、スイッチ釦１５の弾性部１９の取付部１９ｂが保持部材１７の接点配置部２６と下部ケース３の側面部との間に挟まれた状態で配置される。
【００４５】
このときには、スイッチ釦１５の弾性部１９の膨出部１９ａによって釦部１８の頭部１８ａが下部ケース３の釦挿入孔３ａ内に弾力的に挿入されて、頭部１８ａのストッパ片１８ｃが釦挿入孔３ａの縁部に当接する。この状態では、釦部１８の頭部１８ａが下部ケース３の釦挿入孔３ａから外部に突出し、かつスイッチ釦１５の弾性部１９の膨出部１９ａ内に設けられた可動接点１９ｃがフレキシブルな配線基板１６の入力接点部２０に接離可能に離間した状態で配置される。
【００４６】
また、このようにモジュール４が下部ケース３内に配置される際には、回路基板１４に設けられた各一対のばね部材２８が保持部材１７における保持溝２７の切欠き部２７ａ内に配置され、これら一対のばね部材２８がフレキシブルな配線基板１６の接続端子部２１における一対の電極部２１ａにそれぞれ弾力的に接触する。これにより、フレキシブルな配線基板１６の接続端子部２１と回路基板１４とが、一対のばね部材２８によって電気的に接続される。
【００４７】
また、このときには、一対のばね部材２８の近傍に位置する回路基板１４の縁部が保持部材１７の基板支持部２７ｂによって支持される。これにより、回路基板１４とこれに対向する接続端子部２１とが一定の間隔に保たれる。このため、回路基板１４に設けられた一対のばね部材２８が一定の接触圧で接続端子部２１に接触する。
【００４８】
これにより、下部ケース３内にモジュール４が組み込まれると共に、スイッチ部１１が組み込まれる。この状態では、回路基板１４に設けられた光学読取部７が下部ケース３の読取窓部７ａに対応して配置される。そして、下部ケース３に上部ケース２をねじ止めによって取り付ける。このときには、モジュール４の表示パネル１３を上部ケース２の表示窓部５に対応させ、キー入力部６をモジュール４の回路基板１４の下辺部側に対応させれば良い。これにより、携帯端末機が組み立てられる。
【００４９】
次に、このような携帯端末機の作用について説明する。
この携帯端末機は、電源がオンされると、表示パネル１３にメニュー情報が表示され、この表示された情報を見ながらタッチ操作することにより、メニューが選択される。また、この状態でキー入力部６を操作して演算処理を行うことができる。
【００５０】
また、この携帯端末機で物品のバーコードを読み取る際には、機器ケース１の両側に設けられたスイッチ部１１の一方を操作して光学読取部７による読取モードに切り替え、この状態で他方のスイッチ部１１を操作すると、光学読取部７が読取動作を開始する。このときには、光学読取部７がレーザ光線を読取窓部７ａから出射し、この出射されたレーザ光線の反射光を受光することにより、物品のバーコードを読み取る。
【００５１】
この場合、スイッチ部１１は、そのスイッチ釦１５の釦部１８が機器ケース内に向けて押圧されると、釦部１８の操作軸部１８ｂが弾性部１９の膨出部１９ａを押圧して弾性変形させ、この膨出部１９ａ内に設けられた可動接点１９ｃがフレキシブルな配線基板１６の入力接点部２０に接触して入力接点部２０の一対の電極部２０ａを導通させる。
【００５２】
すると、フレキシブルな配線基板１６の入力接点部２０が導通信号をトリガー信号として出力し、この導通信号であるトリガー信号が接続配線部２２を経て接続端子部２１に送られ、この接続端子部２１から一対のばね部材２８を介して回路基板１４に与えられる。これにより、光学読取部７によって物品のバーコードが読み取られる。
【００５３】
このように、この携帯端末機の基板接続構造によれば、一端部にスイッチ釦１５と対向する入力接点部２０が設けられ、この入力接点部２０と同一面上における他端部に回路基板１４と対向する接続端子部２１が設けられたフレキシブルな配線基板１６と、このフレキシブルな配線基板１６が折り曲げられて、同一面上に位置する入力接点部２０と接続端子部２１との各平面が互いに直交した状態で、配線基板１６が取り付けられる保持部材１７と、を備えていることにより、部品点数を削減し、接続作業の簡素化および低コスト化を図ることができる。
【００５４】
すなわち、この基板接続構造では、フレキシブルな配線基板１６を折り曲げることにより、同一面上に設けられた入力接点部２０と接続端子部２１との各平面を互いに直交させることができ、この状態でフレキシブルな配線基板１６を保持部材１７に組み付けることができるので、この保持部材１７をスイッチ釦１５と回路基板１４とに対向させることにより、スイッチ釦１５と回路基板１４とを簡単にかつ確実に接続することができる。
【００５５】
このため、この基板接続構造では、先行文献に記載されているようなコネクタなどの接続部品が不要になるので、部品点数を削減することができるほか、フレキシブルな配線基板１６を引き回す必要なく、スイッチ釦１５と回路基板１４とを接近させた状態で配置することができるので、配線の長さを最小限に短くすることができ、これにより配線作業および接続作業の簡素化を図ることができると共に、低コスト化を図ることができる。
【００５６】
この場合、保持部材１７は、フレキシブルな配線基板１６が折り曲げられて、同一面上に位置する入力接点部２０と接続端子部２１との各平面が互いに直交した状態で、入力接点部２０がスイッチ釦１５に対向して配置される接点配置部２６と、接続端子部２１が差し込まれて回路基板１４に対向した状態で露呈される保持溝２７と、を有していることにより、接続端子部２１を保持部材１７の保持溝２７に差し込んで固定できると共に、入力接点部２０を保持部材１７の接点配置部２６に配置できるので、フレキシブルな配線基板１６を保持部材１７に簡単にかつ確実に組み付けることができる。
【００５７】
すなわち、フレキシブルな配線基板１６は、屈曲可能なフィルム１６ａの一端部の入力接点部２０と他端部の接続端子部２１との間に接続配線部２２が設けられ、この接続配線部２２を入力接点部２０側に向けてほぼ直角に折り曲げ、この状態で接続配線部２２を入力接点部２０の背面側に向けて折り曲げて、入力接点部２０の背面に重なる状態で折り返すことができる。
【００５８】
このため、フレキシブルな配線基板１６は、入力接点部２０と接続端子部２１とを互いに直交させた状態で折り曲げることができるので、接続端子部２１を保持部材１７の保持溝２７に接点配置部２６側から差し込んで確実にかつ良好に配置することができると共に、フレキシブルな配線基板１６の入力接点部２０を保持部材１７の接点配置部２６に確実にかつ良好に配置することができる。
【００５９】
この場合、保持部材１７の接点配置部２６には、接続配線部２２を配置するための配線溝部２６ａが設けられているので、入力接点部２０の背面に接続配線部２２が折り返されて重なった状態で配置されていても、接続配線部２２を接点配置部２６の配線溝部２６ａ内に配置することができる。
【００６０】
このため、この保持部材１７では、入力接点部２０の背面に接続配線部２２が折り返されて重なっていても、保持部材１７の接点配置部２６に入力接点部２０をガタツクことなく、フラットな状態で良好に配置することができ、これによりフレキシブルな配線基板１６を安定した状態で保持部材１７に良好に取り付けることができる。
【００６１】
また、フレキシブルな配線基板１６の接続端子部２１と回路基板１４とは、一対のばね部材２８によって電気的に接続されていることにより、接続端子部２１と回路基板１４とを一対のばね部材２８によって簡単にかつ確実に接続することができる。すなわち、一対のばね部材２８は、回路基板１４に電気的に接続された状態で設けられていることにより、保持部材１７の上側に回路基板１４を配置するときに、一対のばね部材２８を接続端子部２１の一対の電極部２１ａに弾力的に接触させることができるので、接続端子部２１と回路基板１４とを簡単にかつ確実に接続することができる。
【００６２】
この場合、保持部材１７の保持溝２７には、フレキシブルな配線基板１６の接続端子部２１が第２補強板２４と共に挿入された際に、接続端子部２１を保持溝２７内から上側に向けて露出させるための切欠き部２７ａが設けられていることにより、保持部材１７の上方に回路基板１４が配置された際に、切欠き部２７ａを通して接続端子部２１を回路基板１４に接続可能な状態で確実にかつ良好に対向させることができると共に、この切欠き部２７ａを通して一対のばね部材２８を接続端子部２１に簡単に接触させることができる。
【００６３】
また、保持部材１７は、入力接点部２０を回路基板１４に対向させた状態で、回路基板１４を支持する基板支持部２７ｂを備えているので、接続端子部２１と回路基板１４とを一対のばね部材２８によって接続した際に、基板支持部２７ｂによって回路基板１４を支持することができる。このため、回路基板１４とこれに対向する接続端子部２１とを一定の間隔に保つことができるので、回路基板１４に設けられた一対のばね部材２８が塑性変形せずに、一対のばね部材２８を一定の接触圧で接続端子部２１に確実にかつ良好に接触させることができる。
【００６４】
さらに、フレキシブルな配線基板１６は、入力接点部２０および接続端子部２１が設けられている同一面と反対側の面に、入力接点部２０に対応する第１補強板２３と、接続端子部２１に対応する第２補強板２４と、が設けられていることにより、フレキシブルな配線基板１６が屈曲可能なフィルム１６ａで形成されていても、フレキシブルな配線基板１６を保持部材１７に確実にかつ良好に取り付けることができる。
【００６５】
また、このような携帯端末機では、フレキシブルな配線基板１６が取り付けられた保持部材１７が組み込まれる機器ケース１を備え、この機器ケース１の側面部にスイッチ釦１５が機器ケース１の外部に出没可能に設けられ、機器ケース１内に回路基板１４が機器ケース１の側面部に対して直交して配置され、保持部材１７が、フレキシブルな配線基板１６の入力接点部２０をスイッチ釦１５に対向させ、かつ接続端子部２１を回路基板１４に対向させた状態で、機器ケース１内に組み込まれていることにより、フレキシブルな配線基板１６によってスイッチ釦１５と回路基板１４とを最短で接続することができる。
【００６６】
この場合、この携帯端末機では、フレキシブルな配線基板１６が取り付けられた保持部材１７を機器ケース１の下部ケース３内に配置した状態で、この下部ケース３内に回路基板１４を取り付ける際に、フレキシブルな配線基板１６の接続端子部２１と回路基板１４とが、一対のばね部材２８によって電気的に接続されることにより、フレキシブルな配線基板１６の接続端子部２１と回路基板１４とを簡単に接続することができるので、より一層、接続作業の簡素化を図ることができる。
【００６７】
なお、上述した実施形態では、フレキシブルな配線基板１６が、フィルム１６ａの一端部に入力接点部２０を設け、その同一面上の他端部に接続端子部２１を設け、これらの間に接続配線部２２を設け、フィルム１６ａの裏面に第１補強板２３と第２補強板２４を設けた場合について述べたが、これに限らず、例えば第１補強板２３に入力接点部２０の一対の電極部２０ａを設け、第２補強板２４に接続端子部２１の一対の電極部２１ａを設け、フィルム１６ａに接続配線部２２の一対の電極ライン２２ａを設け、このフィルム１６ａによって第１補強板２３の入力接点部２０と第２補強板２４の接続端子部２１とを電気的敵に接続するように構成しても良い。
【００６８】
また、上述した実施形態では、携帯端末機に適用した場合について述べたが、必ずしも携帯端末である必要はなく、例えば携帯電話機や携帯型の情報処理装置などの各種の電子機器に広く適用することができる。
【００６９】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７０】
（付記）
請求項１に記載の発明は、一端部にスイッチ釦と対向する接点部が設けられ、前記接点部と同一面上における他端部に回路基板と対向する接続部が設けられた配線部材と、前記配線部材が取り付けられている保持部材と、を備え、前記配線部材は、前記接点部の縁部および前記接続部の縁部に沿って折り曲げられて、前記接点部と前記接続部との各平面が互いに交差した状態となるように、且つ、前記接点部の背面に前記接続部が位置する状態となるように、前記保持部材に取り付けられており、前記保持部材は、前記接点部が前記スイッチ釦に対向して配置される接点配置部と、前記接点配置部の一部に設けられ、前記接続部が差し込まれる保持溝と、を有していることを特徴とする基板接続構造である。
【００７１】
請求項２に記載の発明は、請求項１に記載の基板接続構造において、前記配線部材は、前記接点部の縁部に沿って、前記接点部と前記接続部が設けられる第一面の背面側に向けて略１８０度折り曲げられ、且つ、前記接続部の縁部に沿って前記第一面側に向けて略９０度折り曲げられて、前記保持部材に取り付けられていることを特徴とする基板接続構造である。
【００７２】
請求項３に記載の発明は、請求項１または２に記載の基板接続構造において、前記接点部は、前記スイッチ釦と対向する面の裏面に第１補強板を有しており、前記接続部は、前記回路基板と対向する面の裏面に第２補強板を有しており、前記第１補強板は、前記接点部と重ねて前記接点配置部に配置され、前記第２補強板は、前記接続部と重ねて前記保持溝に差し込まれることを特徴とする基板接続構造である。
【００７３】
請求項４に記載の発明は、請求項１から請求項３のいずれかに記載の基板接続構造において、前記配線部材は、前記接点部と前記接続部の間に当該接点部と当該接続部を電気的に接続する接続配線部を有しており、前記保持部材は、前記接続配線部が配置される配線溝部を有していることを特徴とする基板接続構造である。
【００７４】
請求項５に記載の発明は、請求項４に記載の基板接続構造において、前記一端部から前記他端部に向かう縦方向における前記接続配線部の長さが、前記縦方向における前記接点部の長さよりも短く形成されていることを特徴とする基板接続構造である。
【００７５】
請求項６に記載の発明は、請求項４に記載の基板接続構造において、前記一端部から前記他端部に向かう縦方向における前記接続配線部の長さが、前記接点配置部の端部から前記保持溝までの長さと略等しく形成されていることを特徴とする基板接続構造である。
【００７６】
請求項７に記載の発明は、請求項１〜請求項６のいずれかに記載の基板接続構造において、前記保持溝は、前記接続部が差し込まれた際に前記接続部の電極部を当該保持溝から露呈させる切欠き部を備えていることを特徴とする基板接続構造である。
【００７７】
請求項８に記載の発明は、請求項７に記載の基板接続構造において、前記接続部と前記回路基板とは、前記切欠き部を通したばね部材が、前記電極部に接することによって電気的に接続されていることを特徴とする基板接続構造である。
【００７８】
請求項９に記載の発明は、請求項１〜請求項８のいずれかに記載の基板接続構造において、前記保持溝は、前記保持部材の略中間部に設けられていることを特徴とする基板接続構造である。
【００７９】
請求項１０に記載の発明は、請求項１〜請求項９のいずれかに記載されている基板接続構造を備えていることを特徴とする電子機器である。
【００８０】
請求項１１に記載の発明は、請求項１０に記載の電子機器において、前記配線部材が取り付けられた前記保持部材が組み込まれる機器ケースを備え、前記機器ケースの側面部に前記スイッチ釦が前記機器ケースの外部に出没可能に設けられ、前記機器ケース内には、前記回路基板が前記機器ケースの前記側面部に対して直交して配置され、前記保持部材は、前記配線部材の前記接点部を前記スイッチ釦に対向させ、かつ前記接続部を前記回路基板に対向させた状態で、前記機器ケース内に組み込まれていることを特徴とする電子機器である。
【００８１】
請求項１２に記載の発明は、請求項１１に記載の電子機器において、前記配線部材が取り付けられた前記保持部材を前記機器ケース内に配置した状態で、前記機器ケース内に前記回路基板を取り付ける際に、前記回路基板と前記配線部材の前記接続部とがばね部材によって電気的に接続されることを特徴とする電子機器である。
【符号の説明】
【００８２】
１  機器ケース
２  上部ケース
３  下部ケース
４  モジュール
１１  スイッチ部
１２  インナーケース
１４  回路基板
１５  スイッチ釦
１６  フレキシブルな配線基板
１７  保持部材
１８  釦部
１９  弾性部
２０  入力接点部
２１  接続端子部
２２  接続配線部
２３  第１補強板
２４  第２補強板
２６  接点配置部
２６ａ  配線溝部
２７  保持溝
２７ａ  切欠き部
２７ｂ  基板支持部
２８  ばね部材
【図１】
2019024010.tif 000003
【図２】
2019024010.tif 000004
【図３】
2019024010.tif 000005
【図４】
2019024010.tif 000006
【図５】
2019024010.tif 000007
【図６】
2019024010.tif 000008
【図７】
2019024010.tif 000009
【手続補正書】
【提出日】平成30年10月16日(2018.10.16)
【手続補正１】
【補正対象書類名】特許請求の範囲
【補正対象項目名】全文
【補正方法】変更
【補正の内容】
【特許請求の範囲】
【請求項１】
スイッチ釦を回路基板に電気的に接続するための基板接続構造であって、
前記スイッチ釦と対向する釦接点部が所定の第１面に配置される平板状の釦接点配置部と、
前記釦接点配置部の前記第１面の裏側である第２面から当該第２面に対し垂直に延伸するように形成されるとともに、前記釦接点部と電気的に接続され前記回路基板と対向する基板接点部が一方の面に配置される平板状の基板接点配置部と、
を備えることを特徴とする基板接続構造。
【請求項２】
前記釦接点配置部は、前記基板接点配置部よりも大きく形成されていることを特徴とする請求項１に記載の基板接続構造。
【請求項３】
前記基板接点配置部は、前記釦接点配置部の前記第２面における中央部分に形成されていることを特徴とする請求項１または２に記載の基板接続構造。
【請求項４】
前記基板接点部は、ばね部材によって前記回路基板に電気的に接続されていることを特徴とする請求項１から３の何れか一項に記載の基板接続構造。
【請求項５】
スイッチ釦を回路基板に電気的に接続するための基板接続構造、を備え、
前記基板接続構造は、
前記スイッチ釦と対向する釦接点部が所定の第１面に配置される平板状の釦接点配置部と、
前記釦接点配置部の前記第１面の裏側である第２面から当該第２面に対し垂直に延伸するように形成されるとともに、前記釦接点部と電気的に接続され前記回路基板と対向する基板接点部が一方の面に配置される平板状の基板接点配置部と、を有していることを特徴とする電子機器。
【請求項６】
前記基板接続構造が組み込まれる機器ケースを備え、前記機器ケースの側面部に前記スイッチ釦が前記機器ケースの外部に出没可能に設けられ、前記機器ケース内には、前記回路基板が前記機器ケースの前記側面部に対して直交して配置されることを特徴とする請求項５に記載の電子機器。
【請求項７】
前記基板接続構造を前記機器ケース内に配置した状態で、前記機器ケース内に前記回路基板を取り付ける際に、前記回路基板と前記基板接点部とがばね部材によって電気的に接続されることを特徴とする請求項６に記載の電子機器。
【手続補正２】
【補正対象書類名】明細書
【補正対象項目名】０００６
【補正方法】変更
【補正の内容】
【０００６】
上記課題を解決するために、本発明の基板接続構造は、スイッチ釦を回路基板に電気的に接続するための基板接続構造であって、前記スイッチ釦と対向する釦接点部が所定の第１面に配置される平板状の釦接点配置部と、前記釦接点配置部の前記第１面の裏側である第２面から当該第２面に対し垂直に延伸するように形成されるとともに、前記釦接点部と電気的に接続され前記回路基板と対向する基板接点部が一方の面に配置される平板状の基板接点配置部と、を備えることを特徴とする。
また、上記課題を解決するために、スイッチ釦を回路基板に電気的に接続するための基板接続構造、を備え、前記基板接続構造は、前記スイッチ釦と対向する釦接点部が所定の第１面に配置される平板状の釦接点配置部と、前記釦接点配置部の前記第１面の裏側である第２面から当該第２面に対し垂直に延伸するように形成されるとともに、前記釦接点部と電気的に接続され前記回路基板と対向する基板接点部が一方の面に配置される平板状の基板接点配置部と、を有していることを特徴とする。